Podtech/llm-jp-corpus-v4-ja_patent huggingface dataset:
(57)【要約】【課題】液体状物質に混入させる際に、空気中に飛散浮遊するおそれがなく、また混入すると液体状物質に均一に混ざり、保存性が良好な濾過助剤を提供する。【解決手段】繊維長２００μｍ、繊維径２０μｍの粉末状のセルロースパウダーを、その重量の０．５〜２倍の水と混合し、これを造粒して４０〜１２０℃の温風で乾燥し、大きさが０．５〜５．０ｍｍで乾燥減量が１０％以下の顆粒状にする。【選択図】図１
0003149922.tif 000002
【実用新案登録請求の範囲】
【請求項１】
０．５ｍｍ〜５．０ｍｍの大きさの顆粒状のセルロースパウダーからなる濾過助剤。
【請求項２】
前記顆粒状のセルロースパウダーが、繊維長１００〜３００μｍ、繊維径１０〜３０μｍの粉末状のセルロースパウダーを、その重量の０．５〜２倍の水と混合し、これを造粒して乾燥したものであることを特徴とする請求項１に記載の濾過助剤。
【請求項３】
前記顆粒状のセルロースパウダーの乾燥減量が１０％以下となる請求項２に記載の濾過助剤。
【請求項４】
前記乾燥が４０〜１２０℃の温風で行うことを特徴とする請求項２に記載の濾過助剤。
【考案の詳細な説明】
【技術分野】
【０００１】  本考案は、濾過助剤の改良に関する。
【背景技術】
【０００２】  繊維長１００〜３００μｍ、繊維径１０〜３０μｍの粉末状のセルロースパウダーは、濾過助剤として油溶性、水溶性を問わず液体状物質の変色を防止したり異物や濁りを除去したりするのに広く使用されている。【０００３】  特に飲料においては濾過助剤としてワイン、ビールなどの飲料原料に入れ、異物や濁りを除去したりするのに多くの実績がある。【０００４】  しかし、液体状物質に混入する際に、粉末粒子が微細なため空中に飛散浮遊するおそれが高く、取扱いが難しい。作業環境においても防じんマスクなどの治具を必要とする。【０００５】  上記問題を解決するために前項のセルロースパウダーと精製水とを練成し乾燥減量が５０％以上とした製品が使用されることがあるが、製品自体の重量が重くなり作業員の負荷が大きい。また製品開封後の衛生学的保存性も良好でない。
【考案の開示】
【考案が解決しようとする課題】
【０００６】  本考案の目的は、液体状物質に混入させる際に、かさ比重が０．１グラム／立方センチメートル前後であり空気中に飛散浮遊するおそれがない濾過助剤を提供することにある。
【課題を解決するための手段】
【０００７】  そのために請求項１の考案は、０．５ｍｍ〜５．０ｍｍの大きさの顆粒状のセルロースパウダーからなる。本考案の原料であるセルロースパウダーの一例として、レッテンマイヤー社のＡＲＢＯＣＥＬ（アルボセル）（登録商標）が挙げられるが、本考案はそれに限定されることなくいずれのメーカーのものでも構わない。
請求項２の考案は、前記顆粒状のセルロースパウダーが、繊維長１００〜３００μｍ、繊維径１０〜３０μｍの粉末状のセルロースパウダーを、その重量の０．５〜２倍の水と混合し、これを造粒して乾燥したものであることを特徴とする。
請求項３の考案は、乾燥減量が１０％以下であることを特徴とする。
請求項４の考案は、前記乾燥が４０〜１２０℃の温風で行うことを特徴とする。
【考案の効果】
【０００８】  請求項１の濾過助剤は、液体状物質に混入させる際に、顆粒状なので空気中に飛散浮遊することがない。  請求項２の濾過助剤は、容易に製造することができる。
請求項３の濾過助剤は、保存性が良く、カビや細菌が容易に繁殖することがない。
請求項４の濾過助剤は、熱による能力低下がなく、充分に乾燥できる。
【考案を実施するための最良の形態】
【０００９】  本考案の実施形態の一例を図面に示す。
図１は、本考案の濾過助剤の製造工程を示す図である。
繊維長２００μｍ、繊維径２０μｍの粉末状セルロースパウダー：商品名アルボセル（登録商標）を、パドル型混合機などの撹拌機に入れる。
次に、粉末状セルロースパウダー１重量部に対し、精製水０．５〜２重量部を加えながら撹拌して、水分が粉末状セルロースパウダーに均一に行き渡るようにする。
次に、水と混合し、塊状になったセルロースパウダーをバスケット型押出造粒機やプレート型スクリュー造粒機などの造粒機に入れ、０．５〜１０．０ｍｍ好ましくは４．０〜１０．０ｍｍのスクリーン孔から押し出し、任意の長さ（約１〜７ｍｍ）で切断し、粒状にする。切断は、敢えて行わず自重により切れることにより行うか、カッタにより所望の長さに切断するかのいずれかである。
次に、４０〜１２０℃、好ましくは６０〜９０℃の温風下で造粒後のセルロースパウダーを乾燥し、顆粒状の濾過助剤にする。乾燥は、乾燥減量が１０％以下、好ましくは３％以下となるまで行う。これにより、熱による濾過能力の低下がなく、粒状セルロースパウダーを充分乾燥できる。【００１０】  本考案の濾過助剤は、従前の粉末状のセルロースパウダーと同様に、液体状物質に添加し所定時間撹拌した後、濾過して取り除くという方法で使用する。
従前の粉末状のセルロースパウダーは、液体状物質に混入させる際に、一部が空気中に飛散浮遊するが、本考案の濾過助剤は顆粒状のため飛散しない。【００１１】  従前の粉末状のセルロースパウダーであるアルボセル（登録商標）と、それを原料として以上のようにしてなる顆粒状の濾過助剤との飛散浮遊の違いを比較した。
直径３メートルの円筒状タンク上部にてタンク上部からの高低差５０センチメートルの位置よりアルボセル（登録商標）と顆粒状の濾過助剤をそれぞれ１０キログラムずつ投入しタンク外部に飛散した分を捕集し、計量した。作業時の環境はいずれの場合も風速０．５メートルに設定した。
その結果、アルボセル（登録商標）を投入した場合、タンク外部に飛散した量は１０．３グラムであったのに対し、顆粒状の濾過助剤の場合は０．２グラムであった。以上の結果より本考案の顆粒状の濾過助剤は作業時の飛散浮遊が著しく改善されたことが確認できた。【００１２】  乾燥減量が５０％以上である従前のセルロース濾過助剤と、乾燥減量が５％である以上のようにしてなる顆粒状の濾過助剤との保存性の違いを比較した。
それぞれの製品を開封して静置し、５日後、３０日後の製品の状態を観察した。静置場所は清酒工場の濾過作業場にて行った。
乾燥減量が５０％以上である従前の製品は、５日後ところどころに１ｍｍ程度のカビの繁殖が見られ３０日後にはそれが開封口付近全体に広がった。また３０日後には開封直後には見られなかった酸臭・カビ臭が感じられた。
これに対して乾燥減量が５％である顆粒状の濾過助剤は、５日後も３０日後も品質の変化は見られなかった。
以上の結果より本考案の顆粒状の濾過助剤は乾燥減量が５０％以上である従前のセルロース濾過助剤と比較して衛生学的な保存性が優れていることが確認できた。また当然乾燥減量が少ないため、作業員の運搬・投入の作業負荷が少なくなることは明白である。
【図面の簡単な説明】
【００１３】
【００１４】
【図１】  濾過助剤の製造工程を示す図である。
【図１】
0003149922.tif 000003
(57)【要約】      （修正有）【課題】手の平及び指先が滑りにくく持ちやすい豆腐用まな板を提供する。【解決手段】Ｌ形の形状の豆腐用まな板に凹凸状の指掛けを設け、指掛けは、凹形で指掛けの溝を形成し、凸形で指掛けの角を形成し、双方の凹凸に指を添えることで指掛けを成す。この凹凸状の指掛けを豆腐用まな板の側面裏側と底面裏側に複数設けたことを特徴とする豆腐用まな板である。【選択図】図１
0003149923.tif 000002
【実用新案登録請求の範囲】
【請求項１】
Ｌ形の形状の豆腐用まな板に凹凸状の指掛けを設ける。指掛けは、凹形で指掛けの溝を形成し、凸形で指掛けの角を形成する。双方の凹凸に指を添えることで指掛けを成す、この凹凸状の指掛けを豆腐用まな板の側面裏側と底面裏側に複数設けたことを特徴とする豆腐用まな板。
【考案の詳細な説明】
【技術分野】
【０００１】この考案は、豆腐の切断に用いる、まな板の形状に関する。【０００２】豆腐を切断に用いる豆腐用まな板の形状は、図３、図４に示すように側面と底面からなるＬ形をしています。
実用新案出願２００８−００６１２２
登録実用新案第３１４６３３１号
【考案の開示】
【考案が解決しようとする課題】
【０００３】本考案は、豆腐用まな板はＬ形の形状をしている為、保持する手の平及び指先が滑りやすく持ちにくかった。そこで、この考案は、Ｌ形形状の豆腐用まな板を滑りにくく持ちやすい豆腐用まな板を提供することを課題とする。
【課題を解決するための手段】
【０００４】以上の課題を解決するために、本考案は、Ｌ形形状の豆腐用まな板の側面裏側と底面裏側に凹凸状の指掛けを複数設けたことを特徴とする豆腐用まな板である。
【考案の効果】
【０００５】本考案によれば豆腐用まな板の側面裏側、底面裏側に複数の凹凸状の指掛けを設けたので豆腐用まな板が滑りにくく持ちやすい。
【考案を実施するための最良の形態】
【０００６】この考案の一実施形態を図１に示す。
豆腐用まな板１は合成樹脂、プラスチック製でＬ形の形状であり、この豆腐用まな板１の側面裏側と底面裏側に凹凸の指掛け２を複数設けられている。
【実施形態の効果】
【０００７】この実施形態によれば複数の凹凸の指掛け２の働きで豆腐用まな板１が手の平の大小に関係なく手の平及び指先が滑りにくく持ちやすい。
【図面の簡単な説明】
【０００８】
【図１】この考案の一実施形態を示す裏側斜視図である。
【図２】この考案の一実施形態を示す横面図である。
【図３】従来技術を示す表面斜視図である。
【図４】従来技術を示す裏面斜視図である。
【符号の説明】
１  豆腐用まな板
２  凹凸の指掛け
【図１】
0003149923.tif 000003
【図２】
0003149923.tif 000004
【図３】
0003149923.tif 000005
【図４】
0003149923.tif 000006
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
Ｌ形の形状の豆腐用まな板に凹凸状の指掛けを設け、指掛けは、凹形で指掛けの溝を形成し、凸形で指掛けの角を形成し、双方の凹凸に指を添えることで指掛けを成す、この凹凸状の指掛けを豆腐用まな板の側面裏側と底面裏側に複数設けたことを特徴とする豆腐用まな板。
(57)【要約】      （修正有）【課題】プリンターに対応した用紙により写真などを組み込んだ内容でもプリントアウトでき、不要部分をカットできるミシン目を入れることによって、封筒化することも簡易となり、又、開封時の切り取り線を変えることによって冊子になるので受取人も読みやすい書簡を提供する。【解決手段】手書き、又はパソコンやプリンターを使って情報を組み込んだ後、不要部分をカットできるミシン目と、折り部分に押型又は切れにくいミシン目が入っていることを特徴とする１枚の用紙を三つ折にしてできる簡易書簡である。【選択図】図１
0003149929.tif 000002
【実用新案登録請求の範囲】
【請求項１】
手書き、又はパソコンやプリンターを使って情報を組み込んだ後、不要部分をカットできるミシン目と、折り部分に押型又は切れにくいミシン目が入っていることを特徴とする1枚の用紙を三つ折にしてできる簡易書簡。
【請求項２】
開封時に見開き4ページになることを特徴とする1枚の用紙を三つ折にしてできる簡易書簡。
【考案の詳細な説明】
【技術分野】
【０００１】
この考案は、1枚の用紙からできる簡易書簡に関する。
【背景技術】
【０００２】
郵便局で扱われている簡易書簡(ミニレター)は25ｇまでならば写真のような薄い物を同封できる、図２のように型抜きされた１枚の用紙を三つ折にして60円で送れる封筒兼用の便箋である。
【０００３】
簡易書簡(ミニレター)の他にも1枚の用紙を三つ折にして出来る書簡は存在する。（例えば特許文献１〜４）
【特許文献１】特開平６−２４８７４３号公報
【特許文献２】特開平７−３２９４５８号公報
【特許文献３】特開平７−３２９４５９号公報
【特許文献４】特開平７−４１００３号公報
【０００４】
特許文献５のように冊子になっている封筒がある。
【特許文献５】特開平６−３２９９８２号公報
【考案の開示】
【考案が解決しようとする課題】
【０００５】
しかしながら、以上の技術によれば、簡易書簡は、図２の(a)(b)(d)より、両面に書記欄があり読み書き順序が明確に記されていないため、開封すると１枚の便箋になる書簡を開きながら受取人はどこから読めばいいのか戸惑う。また25ｇ以内で同封出来るものは限られているが、図２の(a)(b)より簡易書簡は罫線がひいてあるうえ、構造上プリンターにうまく通すのは難しいため、写真などを組み込むのが効果的でない。企業のダイレクトメールなどには適していない。
【０００６】
特許文献１〜４では、パソコンやプリンターなどに適し、自由な内容を組み込むことが可能であるが、特許文献２〜４は開封時には1枚の紙の状態で受取人はどこから読めばよいかわかりづらい。特許文献１では開封時に書簡が２分割される。
【０００７】
特許文献５では、開封時は冊子の状態で読みやすいが、閉封前の形状も冊子の状態なのでプリンターに通すのは困難である。
【０００８】
そこでこの考案は、受取人が読みやすく、多くの情報を自由に組み込むことの出来る多面的な用途に利用可能な封筒兼用便箋になる用紙を提供することを課題とする。
【課題を解決するための手段】
【０００９】
以上の課題を解決するために、第一考案は、手書き、又はパソコンやプリンターを使って情報を組み込んだ後、不要部分をカットできるミシン目と、折り部分に押型又は切れにくいミシン目が入っていることを特徴とする1枚の用紙を三つ折にしてできる簡易書簡。また、第二考案は、開封時に見開き4ページになることを特徴とする1枚の用紙を三つ折にしてできる簡易書簡。    
【考案の効果】
【００１０】
第一考案によれば、両端のミシン目を切り取らなければ、プリンターに対応した形なので、パソコンを使ってたくさんの写真やイラストを入れ自由にアレンジしてプリントアウトでき、写真を同封しなくてよい。第二考案によれば、開いた際に見開きになっているので受取人が読みやすい。
【考案を実施するための最良の形態】
【００１１】
この考案の一実施形態を、図１に示す。
用紙には、情報を記入し貼り付ける前に不要部分をカットできるミシン目と折り部分に押型又は切れにくいミシン目が入っている。
【００１２】
図２(c)の簡易書簡の開封時の切り取り部分を図３(j)に変えることによって見開き4ページの書簡になる。
【００１３】
「実施形態の効果」
この実施形態によれば、ミシン目を切り取らなければ、プリンターにも対応できる。書き込みが終われば、ミシン目にそって不要部分を切り取るのでハサミがいらない。折り部分には押型又は切れないミシン目が入っているので封筒の形にしやすい。
【００１４】
1枚の用紙から出来る封筒兼用便箋なので封詰めの作業が軽減される。コスト削減にもなる。
【００１５】
図３(ｊ)の展開図より、1枚の用紙が冊子になるという意外性がある。図３(６)を切り取ることも出来、内容によりチケットや葉書を同封するのと同じ役割を果たすため、多様な利用が可能である。
【００１６】
プリンターの普及により、個人宅での自由な作成も可能であり、既成のレターセットなどにはない斬新な手紙を提供できる。
【００１７】
「他の実施形態」
図１の実施形態では、白紙の状態の用紙であったが、他の実施形態では、郵便枠や切取線などが先に印刷されているものでも良い。
【産業上の利用可能性】
【００１８】
小ロットのダイレクトメールなど、自社での封詰め作業の軽減。結婚の報告や満中陰志、学校教材として今までにないものを提供できるという可能性が考えられる。
【図面の簡単な説明】
【００１９】
【図１】この考案の一実施形態を示す斜視図である。
【図２】この考案の元となる簡易書簡の説明である。
【図３】この考案の折り方と展開図である。
【符号の説明】
【００２０】
(１)  ミシン目
(２)  のりしろ
(３)  不要部分
(４)  折り部分の押型又は切れにくいミシン目
(５)  切り取り線  
(６)  切り取り可能な部分
【図１】
0003149929.tif 000003
【図２】
0003149929.tif 000004
【図３】
0003149929.tif 000005
【手続補正書】
【提出日】平成21年2月12日(2009.2.12)
【手続補正１】
【補正対象書類名】実用新案登録請求の範囲
【補正対象項目名】請求項２
【補正方法】変更
【補正の内容】
【請求項２】
開封時に見開き４ページになることを特徴とする請求項１記載の簡易書簡。
【手続補正２】
【補正対象書類名】明細書
【補正対象項目名】０００９
【補正方法】変更
【補正の内容】
【０００９】
以上の課題を解決するために、第一考案は、手書き、又はパソコンやプリンターを使って情報を組み込んだ後、不要部分をカットできるミシン目と、折り部分に押型又は切れにくいミシン目入っていることを特徴とする１枚の用紙を三つ折りにしてできる簡易書簡。また、開封時に見開き４ページになることを特徴とする請求項１記載の簡易書簡である。
【手続補正３】
【補正対象書類名】明細書
【補正対象項目名】００１２
【補正方法】変更
【補正の内容】
【００１２】
図２(ｃ)の簡易書簡の開封時の切り取り部分を図３(ｉ)に変えることによって見開き４ページの書簡になる。
(57)【要約】      （修正有）【課題】縫製業及び家庭でミシン作業をする上で、同色上糸と下糸ボビンを同時に素早く見つけて取り出して、作業の効率化を図るための連結保持具を提供する。【解決手段】頭頂部に丸みを持たせたつまみ部２と、その下部にボビン保持部３を設け、その下部に弾性を持たせた２つのピンを有する糸駒保持部４を形成し、糸駒穴とボビン穴に共通して貫通させる事が可能な糸駒とボビンの連結保持具１である。【選択図】図２
0003149941.tif 000002
【実用新案登録請求の範囲】
【請求項１】
頭頂部に丸みを持たせたつまみ部と、その下部にボビン保持部を設け、その下部に弾性を持たせた２つのピンを有する糸駒保持部を形成し、糸駒穴とボビン穴に共通して貫通させる事が可能な糸駒とボビンの連結保持具。
【考案の詳細な説明】
【技術分野】
【０００１】    この考案は、同色ミシン上糸駒と下糸ボビンを一体化させて保管するための連結保持具に関するものである。
【背景技術】
【０００２】    従来、ミシン上糸駒と下糸ボビンは別々に保管していた。また、糸駒とボビンには糸端止め機能が無かった。【０００３】
【特許文献１】  実開平７−０４３６００
【特許文献２】  実開平１０−０３６００２
【考案の開示】
【考案が解決しようとする課題】
【０００４】  （イ）ミシン作業に於いて、上下同色糸を照合して取り出すのに手間が掛かって不便であった。
（ロ）糸駒もボビンも糸端止め機能が無いのでほどけ易く、裁縫箱の中は乱雑になり勝ちで、ミシン作業の効率に問題があった。
本考案は、上記問題を解決するために、同色ミシン上糸駒と下糸ボビンを上下に一体化して連結保持し、尚且つ、各々の糸端を挟んだり絡めたりして各穴に隠し、糸端のほどけを防止する機能を持つピンを形成する事を目的とする。
【課題を解決するための手段】
【０００５】    頭頂部に丸みを持たせたつまみ部（２）と、その下部にボビン保持部（３）を設け、その下部に弾性を持たせた２つのピンを有する糸駒保持部（４）を形成し、糸駒穴とボビン穴に共通して貫通させる事が可能な糸駒とボビンの連結保持具（１）を提供する。
【考案の効果】
【０００６】    イ．同色ミシン上糸駒と下糸ボビンを同時に見つけ素早く取り出せる様になったので、ミシン作業の効率が向上した。
ロ．各々の糸端は各穴に隠して糸のほどけを防ぐ糸端処理が出来、裁縫箱の中の整理整頓に役立った。
【考案を実施するための最良の形態】
【０００７】  （イ）糸駒穴（約６ミリ）とボビン穴（約６ミリ）に共通して貫通させる為の樹脂素材で、頭頂部に丸みを持たせたつまみ部（２）を形成する。
（ロ）その下部にボビンの穴（約６ミリ）に貫通させて保持するボビン保持部（３）を形成する。
（ハ）その下部に２つのピンに弾性を持たせたピンセット状糸駒保持部（４）を形成する。
（二）本考案の連結保持具（１）は、上記したつまみ部（２）とこのつまみ部（２）に連接されたボビン保持部（３）と、このボビン保持部（３）に連接した糸駒保持（４）とで構成されている。
【実施例】
【０００８】    以下、本考案の実施例について説明する。
（イ）まず、弾性を持たせたピンセット状糸駒保持部（４）のピン先で、下糸ボビンの糸端をつまんだり絡めたりして挟み、ボビンの穴に押し込む。
（ロ）次に、糸駒の糸端をピン先でつまんだり絡めたりして挟み、糸駒の穴に押し込む。
（ハ）各糸端は各々の穴の中に隠れて、ピンセット状弾性の作用で、ボビンが上、糸駒が下に上下一体化して連結保持される。
（二）最後に、ピンをくるりと回して緩んだ糸端を締める。
（ホ）これを外す時は、先ず糸駒を引き抜き、次に左手でピン先を摘んで、右手でボビンを下に押し出す様にして外す。
【産業上の利用可能性】
【０００９】    この考案は、縫製業及び家庭でミシン作業をする上で、同色上糸と下糸ボビンを同時に素早く見つけて取り出して、作業の効率化を図る為の保管用連結保持具である。
【図面の簡単な説明】
【００１０】
【図１】本考案の正面図である。
【図２】本考案の斜視図である。
【図３】本考案の使用状態を示す斜視図である。
【符号の説明】
【００１１】    １．連結保持具
２．つまみ部
３．ボビン保持部
４．糸駒保持部
【図１】
0003149941.tif 000003
【図２】
0003149941.tif 000004
【図３】
0003149941.tif 000005
(57)【要約】      （修正有）【課題】カップやポット等を湯口の下に置いた時に、正確に湯の落ちる位置がわかる電気ポットを提供する。【解決手段】湯口の横に、小型のスポットライトを取り付ける事により急須やポット等の内部が明るくなり、湯の量や茶葉の量などが容易にわかるようになった。又スポットライトが下にあたる事で、円の中心に湯が落ちる事がわかり、こぼしたりする事なく注げる。このライトは下に物が置いた時反応するセンサ−式か、給湯ボタンを触れた瞬間にスイッチが入るようにすれば更に便利である。タンク内部にも小型ライトを設ければ入れた水量が一目でわかり、これも上蓋を開けた時だけスイッチが入るようにする。【選択図】図１
0003149949.tif 000002
【実用新案登録請求の範囲】
【請求項１】
湯口付近に，小型ライトを取り付けた電気ポット．
【請求項２】
タンク内部に小型のライトを取り付けた，請求項１記載の電気ポット．
【考案の詳細な説明】
【背景技術】
【００１】  従来，電気ポットで湯を注ぐ時，急須やポット等の内部は照明や自然光の角度によっては薄暗くなったり，手暗がりになったりして，湯がどの位入ったかわかり辛かった．又，カップ等を湯口の下に置いた時，正確な湯の落ちる位置がわからず，外にこぼしてしまう事があった．
【課題を解決する手段】
【００２】  そこで湯口の横に，小型のスポットライトを取り付けた．
【考案の効果】
【００３】  よって本考案は，スポットライトを取り付けた事で，急須やポット内部が明るくなり，湯や茶葉の量が容易にわかり，カップなどで粉末を溶かした時にも一目でわかる．又，スポットライトが湯口の真下にあたった事で，円の中心に湯が落ちる事がわかり，こぼさなくなった．
このライトは下に物を置いた時感知するのセンサ−式か，給湯ボタンを触れた瞬間に，スイッチが入るようにすれば更に便利である
【考案を実施するための最良の形態】
【００４】本考案は図に示す通り，電気ポット１の湯口２横に小型スポットライト３を設けた．
【図面の簡単な説明】
【００５】
【図１】  全体略図
【符号の説明】
【００６】１電気ポット  ２湯口  ３小型スポットライト  ４光
【図１】
0003149949.tif 000003
(57)【要約】      （修正有）【課題】添鉄物に取付けた金属棒を足場とすることでポールに昇降ができる仮設足場を提供する。【解決手段】添鉄物１，３に取付けられた金属棒６を足場とするため、２のピン１を軸に添鉄物１を開口し、ポールに添わせ添鉄物１を閉口して、添鉄物３に取付けたピン９を介して取付けた、ボルト８を添鉄物１に差し込み、取付けナット７を蛔しポールに密着させて設置し、ポールの昇降用仮設足場とする。【選択図】図１
0003149944.tif 000002
【実用新案登録請求の範囲】
【請求項１】
ポールに脱着する自在開閉部を設けた添鉄物をピンに固定されたボルトにナットで締付けることによりポールに密着させ、その添鉄物から金属の棒を設けたポール用仮設足場。
【考案の詳細な説明】
【技術分野】
【０００１】  本考案は、自在開閉部、締付部を添鉄物に設け金属棒を添鉄物に取付けた、ポール用仮設足場に関するものである。
【背景技術】
【０００２】  金属ポール等に取付けられた防犯灯内の蛍光灯や点灯管等を取り替えるとき、長い梯子又は脚立が必要なため、業者等に依頼していた。なお、業者も梯子又は脚立を運ぶ運搬具が必要であった。
【考案の開示】
【考案が解決しようとする課題】
【０００３】  防犯灯内の蛍光灯や点灯管等の取替えの際、業者に依頼しても数日後になりその間、周囲は暗く危険な状態が続いていた。従って、ポールに足場を仮設することにより、ある程度の経験があれば取替え作業ができるため、短時間に済み経済負担も少なくなり前途の欠点を解決しようとするものである。
【課題を解決するための手段】
【０００４】  本考案は、ポールに脱着できる添鉄物（ピンを介した自在開閉部を設けたもの）に金属棒を取付けることで、ポールに添鉄物をピンに取付けたボルトをナットで締付けることにより密着させ昇降が安易な足場を作り問題点を解決している。
【考案の効果】
【０００５】  上述の様に、考案のポール昇降用仮設足場はポールに足場を脱着可能としたことで防犯灯内の蛍光灯や点灯管等の取り替え作業に梯子又は脚立を用いる（運搬具の必要がない）必要がない。又、経済的負担も少ない。
【考案を実施するための最良の形態】
【０００６】  ポール脱着添鉄物の開閉部を開放し、ポールに添え開閉部をとじてナットをボルトにスパナ等で締付ける。そこでポールに密着させた添鉄物に取付けた金属棒が足場となる。この様にしてポールを昇りながらポール昇降用仮設足場を数個ポールに取付けることにより目的の位置まで到達し、作業を行うことができる。なお、作業には安全ベルトをポールに掛け安全を確保する。
【実施例】
【０００７】  以下、添付図面に従って実施例を説明する。１及び３は添鉄物本体で鉄製素材である。３の添鉄物に取付けられた２のピン１を軸に１の添鉄物を開口し、ポールに添わして１の添鉄物を閉口する。次に、３の添鉄物に取付けられた９のピン２を介して取付けているボルト８を１の添鉄物に差し込み、７の取付ナットを廻しポールに密着させる。【０００８】  ６は鉄製の棒で５のワッシャーを介し４の固定ナットで３の添鉄物に取付けられた足場である。足場は１０の紐で連結するものとする。【０００９】  本考案の実施例は上述の如き構成からなるものであり、ポール用足場として用いられる。７の取付けナットを逆廻しにすれば取外しができる。
【図面の簡単な説明】
【００１０】
【図１】本考案の正面図
【図２】本考案の側面図
【図３】開口図
【図４】立体図
【図５】実施例図
【符号の説明】
【００１１】１  添鉄物１
２  ピン１
３  添鉄物２
４  固定ナット
５  ワッシャー
６  金属棒
７  取付けナット
８  ボルト
９  ピン２
１０  紐
【図１】
0003149944.tif 000003
【図２】
0003149944.tif 000004
【図３】
0003149944.tif 000005
【図４】
0003149944.tif 000006
【図５】
0003149944.tif 000007
(57)【要約】【課題】本案の目的は、バルブ側に誤操作防止装置を取り付けるための大幅な改造を必要とせず、かつ、作業者がバルブの現状を容易に確認可能であり、さらに作業者による誤操作を確実に防止し安全性を確保されるバルブの誤操作防止装置を提供する事である。【解決手段】バルブ開閉ハンドルｄより小さい表示板ｂとバルブ開閉ハンドル装着用パッキングｃが取りつけられた網状カバーａからなる本考案に係るバルブの誤操作防止装置をバルブ開閉ハンドル装着用パッキングｃに設けられた開口部を用いてバルブ開閉用ハンドルに装着する。【選択図】図８
0003149985.tif 000002
【実用新案登録請求の範囲】
【請求項１】
網状カバーにバルブ開閉ハンドルより小さい表示板とバルブ開閉ハンドル装着用パッキングを取り付けたことを特徴とするバルブの誤操作防止装置
【考案の詳細な説明】
【技術分野】
【０００１】
本案は、開閉用ハンドルを有するバルブについての誤操作防止装置に関するものである。
【背景技術】
【０００２】
バルブは、化学プラント、石油精製所、パイプラインなどで、ライン切り替えや、流体の流量を制御する目的で広範囲に用いられている。
【０００３】
バルブの目的は、ライン切り替えや、パイプ内の流体の流れを制御するためのものであり、不適切な時に開閉操作するとプラント全体、又は配管に重大な損傷を生じさせることになりかねない。バルブの開閉用ハンドルのロックに関する提案は数多くあり、鎖と南京錠（ 鎖をハンドルに通し南京錠で両端を固定する）といった 簡単なものから、バルブ専用の比較的高度なロックなどがあった（特許文献１）。しかし従来の誤操作防止装置は誤操作の防止機構にのみ重点が置かれ、作業者によるバルブの現状（開閉等の状況）の確認の容易さや、作業者による誤操作の防止については十分でない面があった。
【０００４】
また、バルブに誤操作防止装置を取り付ける際に、バルブ本体に改造を加えてしまうとバルブの製造メーカーのバルブに対する保証が無効になる可能性があるため、誤操作防止装置を取り付けるための大幅な改造がバルブ側になされないことが必要であった。
【０００５】
【特許文献１】特開２００５−１８０５２９号公報
【考案の開示】
【考案が解決しようとする課題】
【０００６】
本案の目的は、バルブ側に誤操作防止装置を取り付けるための大幅な改造を必要とせず、かつ、作業者がバルブの現状を容易に確認可能であり、さらに作業者による誤操作を確実に防止し安全性を確保されるバルブの誤操作防止装置を提供する事である。
【課題を解決するための手段】
【０００７】
本考案に係るバルブの誤操作防止装置は、網状カバーａにバルブ開閉ハンドルｄより小さい表示板ｂおよびバルブ開閉ハンドル装着用パッキングｃを取り付けたものである。
【０００８】
本考案における網状カバーａは、バルブ開閉ハンドルｄを覆うことができるものであれば、その形状は特に制限されない。
【０００９】
本考案におけるバルブ開閉ハンドルｄより小さい表示板ｂは、例えば、網状カバーａに針金等を用いて取り付けられ、その大きさはバルブ開閉ハンドルｄよりも小さいものであれば、その形状は特に制限されない。
【００１０】
本考案におけるバルブ開閉ハンドル装着用パッキングｃは、例えば、ゴム等の柔軟性を持つ物質からなり、網状カバーａに針金等を用いて取り付けられ、本考案の誤操作防止装置の装着対象であるバルブ開閉ハンドルｄに装着可能な開口部があればよい。
【００１１】
本考案のバルブの誤操作防止装置は、網状カバーａに取り付けられたバルブ開閉ハンドル装着用パッキングｃに設けられた開口部を用いてバルブ開閉ハンドルｄに装着する。
本考案のバルブの誤操作防止装置の装着後、バルブ開閉ハンドルｄの作業者による誤操作を確実に防止される。  さらにダイヤフラム弁では、バルブが開の場合に図６に示すとおり弁棒の先端が突出するため、バルブ開閉用ハンドルｄの中央部にある弁棒ｅの状態を金網越しに視認することにより、バルブの開閉状況も確認することもできる。
【考案の効果】
【００１２】
本考案のバルブの誤操作防止装置は、バルブ側に誤操作防止装置を取り付けるために大幅な改造を必要とせず、かつ、作業者による誤操作を確実に防止し、安全性を確保する事が出来、さらに作業者がバルブの開閉状態を容易に確認可能である。
【考案を実施するための最良の形態】
【００１３】
本考案に係るバルブの誤操作防止装置は、バルブ開閉ハンドルｄより小さい表示板ｂとバルブ開閉ハンドル装着用パッキングｃが取りつけられた網状カバーａをバルブ開閉ハンドル装着用パッキングｃに設けられた開口部を用いてバルブ開閉ハンドルｄに装着する。
【図面の簡単な説明】
【００１４】
【図１】本考案のバルブの誤操作防止装置の具体的一実施例の正面図である。
【図２】本考案のバルブの誤操作防止装置の具体的一実施例の平面図である。
【図３】本考案のバルブの誤操作防止装置の具体的一実施例の背面図である。
【図４】本考案のバルブの誤操作防止装置を装着するバルブ開閉ハンドルの正面図の一例である。
【図５】本考案のバルブの誤操作防止装置を装着するバルブ開閉ハンドルの側面図の一例である。
【図６】本考案のバルブの誤操作防止装置を装着するバルブ開閉ハンドルの側面図（ダイヤフラム弁においてバルブ開）の一例である。
【図７】本考案の具体的一実施例に係るバルブの誤操作防止装置をバルブ開閉ハンドルに装着した状態の正面図である。
【図８】本考案の具体的一実施例に係るバルブの誤操作防止装置をバルブ開閉ハンドルに装着した状態での側面図である。
【実施例】
【００１５】
以下、添付図に従って、一実施例を説明する。  本考案に係るバルブの誤操作防止装置は、例えば、網状カバーａにバルブ開閉ハンドルｄより小さい表示板ｂとバルブ開閉ハンドル装着用パッキングｃが取りつけられた本考案のバルブの誤操作防止装置をバルブ開閉ハンドル装着用パッキングｃに設けられた開口部を用いてバルブ開閉ハンドルｄに装着することにより作業者による誤操作を確実に防止する。
【符号の説明】
【００１６】
ａ：網状カバー
ｂ：表示板
ｃ：バルブ開閉ハンドル装着用パッキング
ｄ：バルブ開閉ハンドル
ｅ：弁棒
ｆ：バルブ本体
【図１】
0003149985.tif 000003
【図２】
0003149985.tif 000004
【図３】
0003149985.tif 000005
【図４】
0003149985.tif 000006
【図５】
0003149985.tif 000007
【図６】
0003149985.tif 000008
【図７】
0003149985.tif 000009
【図８】
0003149985.tif 000010
(57)【要約】      （修正有） 【課題】樒と菊等が入った花束とを予め組み合わせておくことで、仏壇、墓等のお供え用花として直ちに用いることのできるお供え花セットを提供する。【課題手段】菊の切り花、並びに、カーネーション等の切り花と、樒２とを単一の結束具で束ねてセットする。樒２と菊等が入った花束３の切り口を保水袋５で包み、結束具４としては、輪ゴム、バンド、紐等を使用する。【選択図】図１
0003149956.tif 000002
【実用新案登録請求の範囲】
【請求項１】
菊の切り花、並びに、カーネーション等の切り花と、樒とを単一の結束具で束ねてセットにしたことを特徴とするお供え花セット。
【考案の詳細な説明】
【技術分野】
【０００１】
本考案はお供え花セットに関するものである。
【背景技術】
【０００２】
岡山県、広島県、山口県等の山陽地方では、図２に示す樒１００と、図３に示す、菊等が入った花束１０１とはそれぞれ別売りされ、樒１００と菊等が入った花束１０１とを別々に購入した者が、樒１００と菊等が入った花束１０１とを組み合わせた後に、仏壇、墓等のお供え用花として用いていた。
【考案の概要】
【考案が解決しようとする課題】
【０００３】
しかしながら、仏壇、墓等のお供え用花として、樒１００と菊等が入った花束１０１は互いに別売りされているために、樒１００と菊等が入った花束１０１をそれぞれ購入しなければならず、購入が面倒である上に、購入後に、樒１００と菊等が入った花束１０１を組み合わせて、仏壇、墓等のお供え用花として用いなければならず、その手間が面倒であった。
【０００４】
又、特許文献１には、仏花等の包装容器が記載されてはいるが、樒と菊等が入った花束とをそれぞれ個別に購入して両者を組み合わせる手間を必要とすることなく、仏壇、墓等のお供え用仏花として直ちに用いることのできる樒と仏花については全く記載されていない。
【０００５】
本考案は、前記背景技術の問題点に鑑みて成されたもので、その目的は、樒と菊等が入った花束とを予め組み合わせておくことで、仏壇、墓等のお供え用花として直ちに用いることのできるお供え花セットを提供することにある。
【課題を解決するための手段】
【０００６】
請求項１に記載の考案は、菊の切り花、並びに、カーネーション等の切り花と、樒とを単一の結束具で束ねてセットにしたことを特徴とするものである。
【考案の効果】
【０００７】
請求項１に記載の考案によれば、菊の切り花、並びに、カーネーション等の切り花と、樒とが予めセットになっているために、容易に購入でき、且つ、菊の切り花、並びに、カーネーション等の切り花と樒とを組み合わせる手間を要することなく、直ちに、仏壇、墓等のお供え用仏花として用いることができる。
【図面の簡単な説明】
【０００８】
【図１】図１は本実施形態に係るお供え花セットの斜視図
【図２】図２は背景技術の樒の斜視図である。
【図３】図３は背景技術の菊等が入った花束の斜視図である。
【考案を実施するための最良の形態】
【０００９】
図１は、本実施形態の斜視図を示す。図中、１は本実施形態のお供え花セットを示す。お供え花セット１は、樒２と、菊等が入った花束３とが単一の結束具で束ねられている。樒２と、菊等が入った花束３とを束ねるに際して、樒２の少なくとも前側に菊等が入った花束３を配置することが好ましい。又、菊等が入った花束３は樒２の前側の他に樒２の左右両側に配置しても良い。
【００１０】
前記菊等が入った花束３は、少なくとも菊を含み、他にカーネーション、デンファレ等の複数種の花を含ませることができる。
【００１１】
前記菊としては、白色の大輪の菊、白色の中輪の菊、及び白色の小菊、黄色の大輪の菊、黄色の中輪の菊、及び黄色の小菊、赤色、又はピンクの大輪の菊、ピンクの中輪の菊、及びピンクの小菊等が該当する。
【００１２】
又、前記カーネンションやデンファレ等の花についても、同様に各種の色の花が該当する。
【００１３】
前記結束具４としては、輪ゴム、バンド、紐等が該当する。
【００１４】
又、図１に示すように、樒２と菊等が入った花束３の切り口を保水袋５で包んで輪ゴム、紐、バンド等の結束具４で固定することで、樒２と仏花３の切り口に給水するようにしても良い。
【００１５】
又、樒と菊等が入った花束とを束ねてセットにした状態で、全体を透明シートで包むことも可能である。
【００１６】
次に、作用について説明する。お供え花セット１は図１に示す状態で小売りされている。このお供え花セット１を購入した者は、このまま、直ちに、仏壇、墓等に供えることができるために、従来と比較して、樒と菊等が入った花束とを個別に購入したり、樒と菊等が入った花束とを組み合わせる手間を省略することができる。
【００１７】
又、図１に示す状態から、保水袋５を外した後に、お供え花セット１を墓等に供えることもできる。
【００１８】
更に、樒２と菊等が入った花束３をそれぞれ予め結束具で束ねた後に、更に単一の結束具で両者を束ねても良いし、又、樒２と菊等が入った花束３をばらばらの状態で組み合わせた後に全体を単一の結束具で束ねても良い。
【００１９】
尚、以上の説明では、切り花として仏花を例に説明したが、切り花として仏花以外の花も含むものである。
【００２０】
本考案は前記実施形態の構成に限定されるものではなく、本発明の趣旨を逸脱しない範囲で適宜変更できるものである。
【符号の説明】
【００２１】
１  お供え花セット
２  樒
３  菊等が入った花束
４  結束具
５  保水袋
１００  樒
１０１  菊等が入った花束
【先行技術文献】
【特許文献】
【００２２】
【特許文献１】特開２００３−１７０９８１号公報
【図１】
0003149956.tif 000003
【図２】
0003149956.tif 000004
【図３】
0003149956.tif 000005
(57)【要約】      （修正有）【課題】一般家庭においても手軽に使用することができる安価、かつ、簡便なイワシの三枚おろし具を提供する。【解決手段】帯状体１１を略円弧状に湾曲させてなる切削部１３を備えていることを特徴するイワシの三枚おろし具。切削部１３における切削縁１３ａには、好ましくは、刃を形成する。帯状体１１は、一例として、ステンレス鋼により形成する。帯状体１１を略円弧状に湾曲させることにより帯状体１１の一端１１ａに切削部１３を形成し、帯状体１１の他端１１ｂを柄部１５に取り付けてもよいが、帯状体１１を略円弧状に湾曲させることにより帯状体１１の一端１１ａに切削部１３を形成し、帯状体１１の他端１１ｂを相互に固着してもよい。【選択図】図１
0003149103.tif 000002
【実用新案登録請求の範囲】
【請求項１】
帯状体を略円弧状に湾曲させてなる切削部を備えていることを特徴するイワシの三枚おろし具。
【請求項２】
前記切削部における切削縁には刃を形成したことを特徴とする請求項１に記載のイワシの三枚おろし具。
【考案の詳細な説明】
【技術分野】
【０００１】
本考案は、イワシの三枚おろし具に関するものであり、更に詳しくは、イワシ（鰯）を三枚におろすためのイワシの三枚おろし具に係るものである。
【背景技術】
【０００２】
一般に、イワシを三枚におろす作業は、手指を用いて行なわれている。すなわち、イワシの頭部を包丁により切除した後、内臓を除去して水洗いし、手指で身を開き、手指で骨を剥がすという手法が採られている。
【０００３】
特公平１−１８７０３号公報は、イワシの三枚おろし自動調理装置を開示している。このイワシの三枚おろし自動調理装置は、イワシを骨と二枚の切り身とに自動的に分離する装置である。
【特許文献１】特公平１−１８７０３号公報
【考案の開示】
【考案が解決しようとする課題】
【０００４】
しかるに、手指によりイワシを三枚におろす上記手法においては、身が崩れ易く、作業にある程度の熟練を要するという問題がある。
【０００５】
一方、上記イワシの三枚おろし自動調理装置は、構造が複雑な機械装置であって、高価であり、一般家庭においては使用し難いものである。
【０００６】
本考案は、上述の如き問題を解決し、一般家庭においても手軽に使用することができる安価、かつ、簡便なイワシの三枚おろし具を提供しようとしてなされたものである。
【課題を解決するための手段】
【０００７】
上記課題を解決するために、本考案は、下記のイワシの三枚おろし具を提供する。
【０００８】
（１）帯状体を略円弧状に湾曲させてなる切削部を備えていることを特徴するイワシの三枚おろし具（請求項１）。
【０００９】
（２）前記切削部における切削縁には刃を形成する（請求項２）。
【００１０】
［考案の作用］
［請求項１の考案］
請求項１の考案によるイワシの三枚おろし具を用いてイワシを三枚におろす際には、次のようになす。
【００１１】
すなわち、水洗いしたイワシをまな板等の作業台上に載置し、一方の手でイワシ（１）の頭部（３）を押さえ、他方の手で三枚おろし具の切削部をイワシのエラ部（５）に当接させ、イワシの中骨まで押し込む。続いて、三枚おろし具をイワシの尾ひれ（７）方向に引くことにより、イワシの一方の片身を切り離す。次に、イワシを裏返して同様の作業を行なうことによりイワシの他方の片身を切り離す。以上により、イワシの三枚おろしが完了する。
【００１２】
［請求項２の考案］
請求項２の考案による三枚おろし具は、切削部における切削縁には刃を形成しているため、切削部をイワシのエラ部（５）からイワシの中骨まで押し込む作業と、三枚おろし具をイワシの尾ひれ（７）方向に引くことによりイワシの片身を切り離す作業とが円滑に行なわれる。
【考案の効果】
【００１３】
［請求項１の考案］
請求項１の考案によるイワシの三枚おろし具は、一般家庭においても手軽に使用することができる安価、かつ、簡便なものである。この三枚おろし具を使用すれば、三枚おろし作業の未熟練者であってもイワシをきれいに三枚におろすことができる。
【００１４】
［請求項２の考案］
請求項２の考案によるイワシの三枚おろし具においては、切削部における切削縁に刃を形成しているため、三枚おろし作業を一層容易に、かつ、一層きれいに行なうことができる。
【考案を実施するための最良の形態】
【００１５】
本考案によるイワシの三枚おろし具は、帯状体１１を略円弧状に湾曲させてなる切削部１３を備えている。
【００１６】
帯状体１１は、一例として、ステンレス鋼により形成する。
【００１７】
図１に示す事例においては、帯状体１１を略円弧状に湾曲させることにより該帯状体１１の一端１１ａに切削部１３を形成し、該帯状体１１の他端１１ｂを柄部１５に取り付けている。
【００１８】
図２に示す事例においては、帯状体１１を略円弧状に湾曲させることにより該帯状体１１の一端１１ａに切削部１３を形成し、該帯状体１１の他端１１ｂを相互に固着している。この事例においては、三枚おろし具は、帯状体１１の他端１１ｂを把持して使用されるものであり、柄部を有しない。
【００１９】
図１、図２に示す事例においては、切削部１３は帯状体１１の一端１１ａ（図における左端）に形成された湾曲部である。
【００２０】
前記切削部１３における切削縁１３ａには、一例として図３に示すように、刃１３ｂを形成する。
【００２１】
図４はイワシ１の一例を示すものである。同図において、符号３に示すものはイワし１の頭部、符号５に示すものはイワシ１のエラ部、符号７に示すものはイワシ１の尾ひれである。
【図面の簡単な説明】
【００２２】
【図１】本考案によるイワシの三枚おろし具の一例を示す斜視図である。
【図２】同上イワシの三枚おろし具の別の一例を示す斜視図である。
【図３】切削部を示す断面図である。
【図４】本考案によるイワシの三枚おろし具の使用状態を示す平面図である。
【符号の説明】
【００２３】
１  イワシ
３  頭部
５  エラ部
７  尾ひれ
１１  帯状体
１１ａ  一端
１１ｂ  他端
１３  切削部
１３ａ  切削縁
１３ｂ  刃
１５  柄部
【図１】
0003149103.tif 000003
【図２】
0003149103.tif 000004
【図３】
0003149103.tif 000005
【図４】
0003149103.tif 000006
(57)【要約】      （修正有）【課題】三線の各弦より発せられる音である振動エネルギーを減衰させることなく正確に音響部分である皮に伝える三線の駒を提供する。【解決手段】駒１に３本の脚部３を設け、各脚部３の配設場所を各弦を掛ける溝部２の直下とし、弦の強い張力でも駒１を変形させずに弦と皮の間に安定に挟持させ、各弦において発せられる音である振動エネルギーを減衰させることなく正確に音響部である皮に伝える。【選択図】図３
0003149108.tif 000002
【実用新案登録請求の範囲】
【請求項１】
三線の弦の振動を皮に伝える駒において、脚部を３本設けている三線の駒。
【請求項２】
前記各脚部は弦が掛けられる溝部の直下に配設されることを特徴とする請求項１に記載の三線の駒。
【考案の詳細な説明】
【技術分野】
【０００１】
本考案は三線の駒に関する。特に、沖縄地方で用いられる三線（蛇皮線）の駒、及び日本本土で用いられる三味線の駒に関する。なお、本明細書において三線とは、三線及び三味線をいう。
【背景技術】
【０００２】
三線とは、沖縄県および奄美諸島で用いられる弦楽器であって、両面に蛇皮を張った木製の胴に棹が取り付けられ、この胴と棹にわたって張設された三本の絹糸からなる弦を演奏者が爪で弾いて楽曲を奏でるように構成されたものである。
【０００３】
この三線は、もともと中国から沖縄地方に伝えられ、その後日本本土に渡り、日本本土においては蛇皮の代わりに猫または犬の皮が張られて三味線として広く親しまれているものである。
【０００４】
上記した三線および三味線の皮には弦を支持するためおよび爪で弦を弾いて発生した、音となる振動エネルギーを音響部分である皮に伝えるために、皮の上に駒を配設している。
【０００５】
従来の駒７は図３に表すように、材料に竹や木、樹脂などを用いて３本の弦を支持する溝部８と、駒を皮上に立たせるための脚部９を設けていた。
【０００６】
三線および三味線は、爪で弾かれた弦が振動して音となり、この弦に発生した振動エネルギーを駒の脚部が音響部分である皮に伝え、空間部分を有する胴によって音が拡大される機構となっている。
【０００７】
したがって、弦に発生させた振動エネルギーを、漏らさず皮に伝えることが三線および三味線の駒に求められており、脚部における振動エネルギーの減衰をより小さいものとするために、駒の脚部の厚みをより狭くさせるどの試みが行われていた。
【考案の開示】
【考案が解決しようとする課題】
【０００８】
しかしながら、脚部の厚みを狭くすればするほど、弦の張力に支えきれなくなった駒が倒れやすくなり、長い時間演奏が行えないという問題や、駒の材料に木や竹、樹脂を用いた場合には弦の張力に耐え切れずに駒が変形してしまうという問題が発生していた。
【０００９】
本考案はこれらの問題を解決するためのものであって、それぞれの弦から発生した音である振動エネルギーを漏らすことなく正確に伝えることが可能であり、弦の張力に耐えられる硬度を有する三線の駒を提供することを目的とする。
【課題を解決するための手段】
【００１０】
上記の目的を達成するため、請求項１において、本考案の駒は３つの脚部を設けた構成としている。このような構成とすることにより、脚部の厚みを薄くした場合にもより高い安定性が確保され、弦の張力にも耐えうる構造となる。
【００１１】
請求項２において、駒の各脚部は弦が掛けられる溝部の直下に配設する構成とされる。このような構成とすることにより、３本の弦それぞれより発生させる振動エネルギーを漏れることなく正確に音響部である皮に伝えることが可能となる。また、従来は振動エネルギーが相殺され皮への伝達が減衰されていた中央の弦を弾いたときの音を正確に発することが可能となる。
【考案の効果】
【００１２】
以上に説明したとおり、本考案の三線の駒は脚部を３つ設けているので、駒の厚みを薄くしても弦の張力に耐えうる安定を確保できる。
【００１３】
また、それぞれの弦が掛けられる溝部の直下に脚部を設けているのでそれぞれの弦より発せられる音である振動エネルギーを余すところなく正確に音響部である皮に伝えることができ、演奏者が弾く弦の音をより正確に観客に伝えることが可能となる。
【００１４】
特に、従来は振動エネルギーが相殺され皮への伝達が減衰されていた中央の弦を弾いたときの音が正確に発せられるという効果を奏する。
【考案を実施するための最良の形態】
【００１５】
本考案の三線の駒は音響部分である皮と振動エネルギーである弦の間に狭持され、弦が掛けられるそれぞれの溝部の直下に設けられた脚部が皮と接して弦において発生する振動エネルギーを音響部分である皮に余すことなく正確に伝えることが可能となる。
【実施例１】
【００１６】
以下、本考案の実施の形態について、図を参照して説明する。図１は本考案の駒１を三線４に装着した斜視図であり、図２は駒１装着部分の拡大斜視図、図３は駒１の拡大斜視図である。
【００１７】
本考案にかかる駒１は弦が掛けられる溝部２と弦に発生した音である振動エネルギーを音響部分である皮５に伝えるための３つの脚部３から構成されている。
【００１８】
駒１の寸法は高さが１０ミリ、全体の横幅を２５ミリ、脚部３の横幅を１．５ミリ、溝部２の深さを１ミリ、駒１の頂上部における奥行き幅は０．５ミリ、溝部２より脚部３は放射状に広がり、脚部の奥行き幅は３ミリが好適とされる。脚部３の奥行き寸法としては最小０．５ミリ以上、最大５ミリ以内の設定が可能である。
【００１９】
溝部２の直下にはそれぞれ脚部が設けられる。各脚部どうしは上記の脚部の横幅分を確保して、図３のように曲線形状に切除を行うなどして振動エネルギーの減衰部分を削減させ、脚部の高さを確保する。
【００２０】
駒１の材料としては弦の張力に耐えることが可能な硬度を有するステンレスなどの合金なども可能であるが、廃棄物からの有効な転用を考慮した場合は、十分な厚みと硬度を有しているやこう貝が好適とされる。他の材料としてはたかせ貝等も考えられる。
【００２１】
上述の構成からなる駒を三線４に装着するには、張設された弦６を引き上げ、図１のように駒１が皮５と弦６の間に保持されるように皮５上に配設し、３本の弦６をそれぞれの溝部２に掛けることにより装着が行われる。
【００２２】
以上、本考案はこれに限らずギターやマンドリン等の弦楽器にも応用できるものである。
【図面の簡単な説明】
【００２３】
【図１】本考案の三線の駒を三線に装着した斜視図である。
【図２】三線の駒を三線に装着した部分の拡大斜視図である。
【図３】本考案の三線の駒を拡大した斜視図である
【図４】従来における三線の駒の斜視図である。
【符号の説明】
【００２４】
１.駒
２.溝部
３.脚部
４.三線
５.皮
６.弦
【図１】
0003149108.tif 000003
【図２】
0003149108.tif 000004
【図３】
0003149108.tif 000005
【図４】
0003149108.tif 000006